【手続補正書】
【提出日】令和2年6月18日(2020.6.18)
【手続補正１】
【補正対象書類名】特許請求の範囲
【補正対象項目名】全文
【補正方法】変更
【補正の内容】
【特許請求の範囲】
【請求項１】
コンピュータ実装方法であって、
認証すべきユーザの音声/映像ストリームを取得するステップと、
前記音声/映像ストリーム中の前記ユーザの音声が前記音声/映像ストリーム中の前記ユーザの唇と一致するかどうかを判定するステップと、
前記音声/映像ストリーム中の前記ユーザの音声が前記音声/映像ストリーム中の前記ユーザの唇と一致するかどうかを判定したことに応答して、前記音声/映像ストリームにおいて自動音声認識を実施することに基づいて、前記ユーザのユーザ識別子を決定するステップと、
前記音声及び映像ストリームにおいて自動生理学的特徴抽出を実行することに基づいて、前記ユーザの生理学的特徴を決定するステップと、
記憶されたオブジェクト登録情報から、前記決定されたユーザ識別子に対応する記憶されたモデル生理学的特徴を取得するステップと、
前記音声及び映像ストリームにおいて自動生理学的特徴抽出を実行したことに基づいて決定された対象オブジェクトの前記生理学的特徴を前記記憶されたモデル生理学的特徴と比較することに基づく比較結果を生成するステップと、
前記比較結果が認証条件を満たすと判定したことに応答して、前記ユーザが認証されたと判定するステップと
を備える、方法。
【請求項２】
前記ユーザの前記生理学的特徴が前記ユーザの顔特徴を備える、請求項１に記載の方法。
【請求項３】
前記比較結果が類似度スコアを備える、請求項１に記載の方法。
【請求項４】
前記比較結果が認証条件を満たすと判定することが、類似度スコアがスコア閾値を超えると判定することを備える、請求項１に記載の方法。
【請求項５】
前記音声/映像ストリーム中の前記ユーザの音声が前記ユーザの唇と一致するかどうかを判定するステップが、
特定の時点における前記音声/映像ストリームの映像画像における読唇の音節を決定するステップと、
前記特定の時点における前記音声/映像ストリームの音声における音声の音節を決定するステップと、
前記読唇の音節と前記音声の音節とが一致することを判定するステップと
を備える、請求項１に記載の方法。
【請求項６】
前記モデル生理学的特徴を前記オブジェクト登録情報に記憶するステップを備える、請求項１に記載の方法。
【請求項７】
前記ユーザから認証のための要求を受信するステップをさらに備え、前記ユーザの音声/映像ストリームが前記要求に応答して取得される、請求項１に記載の方法。
【請求項８】
コンピュータ可読記憶媒体であって、
認証すべきユーザの音声/映像ストリームを取得することと、
前記音声/映像ストリーム中の前記ユーザの音声が前記音声/映像ストリーム中の前記ユーザの唇と一致するかどうかを判定することと、
前記音声/映像ストリーム中の前記ユーザの音声が前記音声/映像ストリーム中の前記ユーザの唇と一致するかどうかを判定したことに応答して、前記音声/映像ストリームにおいて自動音声認識を実施することに基づいて、前記ユーザのユーザ識別子を決定することと、
前記音声及び映像ストリームにおいて自動生理学的特徴抽出を実行することに基づいて、前記ユーザの生理学的特徴を決定することと、
記憶されたオブジェクト登録情報から、前記決定されたユーザ識別子に対応する記憶されたモデル生理学的特徴を取得することと、
前記音声及び映像ストリームにおいて自動生理学的特徴抽出を実行したことに基づいて決定された対象オブジェクトの前記生理学的特徴を前記記憶されたモデル生理学的特徴と比較することに基づく比較結果を生成することと、
前記比較結果が認証条件を満たすと判定したことに応答して、前記ユーザが認証されたと判定することと
を備える動作を実行するためにコンピュータシステムによって実行可能な１つまたは複数の命令を記憶する、コンピュータ可読記憶媒体。
【請求項９】
前記ユーザの前記生理学的特徴が前記ユーザの顔特徴を備える、請求項８に記載のコンピュータ可読記憶媒体。
【請求項１０】
前記比較結果が類似度スコアを備える、請求項８に記載のコンピュータ可読記憶媒体。
【請求項１１】
前記比較結果が認証条件を満たすと判定することが、類似度スコアがスコア閾値を超えると判定することを備える、請求項８に記載のコンピュータ可読記憶媒体。
【請求項１２】
前記音声/映像ストリーム中の前記ユーザの音声が前記ユーザの唇と一致するかどうかを判定することが、
特定の時点における前記音声/映像ストリームの映像画像における読唇の音節を決定することと、
前記特定の時点における前記音声/映像ストリームの音声における音声の音節を決定することと、
前記読唇の音節と前記音声の音節とが一致することを判定することと
を備える、請求項８に記載のコンピュータ可読記憶媒体。
【請求項１３】
前記動作が前記モデル生理学的特徴を前記オブジェクト登録情報に記憶することを備える、請求項８に記載のコンピュータ可読記憶媒体。
【請求項１４】
前記動作が前記ユーザから認証のための要求を受信することをさらに備え、前記ユーザの音声/映像ストリームが前記要求に応答して取得される、請求項８に記載のコンピュータ可読記憶媒体。
【請求項１５】
コンピュータ実装システムであって、
１つまたは複数のコンピュータと、
前記１つまたは複数のコンピュータに相互動作可能に結合される１つまたは複数のコンピュータメモリデバイスであって、１つまたは複数の命令を記憶する有形の機械可読記憶媒体を有し、前記１つまたは複数のコンピュータによって実施されたとき、
認証すべきユーザの音声/映像ストリームを取得することと、
前記音声/映像ストリーム中の前記ユーザの音声が前記音声/映像ストリーム中の前記ユーザの唇と一致するかどうかを判定することと、
前記音声/映像ストリーム中の前記ユーザの音声が前記音声/映像ストリーム中の前記ユーザの唇と一致するかどうかを判定したことに応答して、前記音声/映像ストリームにおいて自動音声認識を実施することに基づいて、前記ユーザのユーザ識別子を決定することと、
前記音声及び映像ストリームにおいて自動生理学的特徴抽出を実行することに基づいて、前記ユーザの生理学的特徴を決定することと、
記憶されたオブジェクト登録情報から、前記決定されたユーザ識別子に対応する記憶されたモデル生理学的特徴を取得することと、
前記音声及び映像ストリームにおいて自動生理学的特徴抽出を実行したことに基づいて決定された対象オブジェクトの前記生理学的特徴を前記記憶されたモデル生理学的特徴と比較することに基づく比較結果を生成することと、
前記比較結果が認証条件を満たすと判定したことに応答して、前記ユーザが認証されたと判定することと
を備える１つまたは複数の動作を実行する、コンピュータ実装システム。
【請求項１６】
前記ユーザの前記生理学的特徴が前記ユーザの顔特徴を備える、請求項１５に記載コンピュータ実装システム。
【請求項１７】
前記比較結果が類似度スコアを備える、請求項１５に記載コンピュータ実装システム。
【請求項１８】
前記比較結果が認証条件を満たすと判定することが、類似度スコアがスコア閾値を超えると判定することを備える、請求項１５に記載コンピュータ実装システム。
【請求項１９】
前記音声/映像ストリーム中の前記ユーザの音声が前記ユーザの唇と一致するかどうかを判定することが、
特定の時点における前記音声/映像ストリームの映像画像における読唇の音節を決定することと、
前記特定の時点における前記音声/映像ストリームの音声における音声の音節を決定することと、
前記読唇の音節と前記音声の音節とが一致することを判定することと
を備える、請求項１５に記載コンピュータ実装システム。
【請求項２０】
前記動作が前記モデル生理学的特徴を前記オブジェクト登録情報に記憶することを備える、請求項１５に記載コンピュータ実装システム。